(57)【要約】【課題】従来のお守りは、霊験あらたかなものであっても五感に訴える力が乏しいという欠点があった。  このような欠点を補うものとして香りのする絵馬や香りを付けたお守りなどが作られている。  しかしながら、従来の香り付きのお守りは、その香りがお守りや絵馬だけにとどまるものであって、お守りの香りを他の対象物に塗布する方法で移すことはできなかった。  本願発明は、上記実状に鑑み、他の対象物に塗布する方法で香りを移すことができるお守りを提供しようとするものである。【解決手段】  上記課題を解決するため、本願発明のお守りは、液体芳香剤を容器に収容したものをお守りとする。  また、本願発明のお守りは、容器に収容された液体芳香剤と装飾体とをセットにしてお守りとする。【選択図】  図２
2007061580.tif 000002
【特許請求の範囲】
【請求項１】
液体芳香剤を容器に収容してなることを特徴とするお守り。
【請求項２】
容器に収容された液体芳香剤と装飾体とをセットにしてなることを特徴とするお守り。
【発明の詳細な説明】
【技術分野】
【０００１】  本発明は、液体芳香剤を容器に収容してなるお守りに関するものである。
【背景技術】
【０００２】  芳香を放つ絵馬やお守り札に関する先行技術として「香りのある絵馬」がある（例えば、特許文献１参照）。
また、お守りに香料と保留材を含浸させた先行技術として「お守り」がある（例えば、特許文献２参照）。
【特許文献１】  実開平２−１２５６８４号公報（請求項１、図１）
【特許文献２】  実開平５−１５８８６号公報（請求項１、図１〜３）
【発明の開示】
【発明が解決しようとする課題】
【０００３】  従来のお守りは、霊験あらたかなものであっても五感に訴える力が乏しいという欠点があった。
このような欠点を補うものとして香りのする絵馬や香りを付けたお守りなどが作られている。
しかしながら、従来の香り付きのお守りは、その香りがお守りや絵馬だけにとどまるものであって、お守りの香りを他の対象物に塗布する方法で移すことはできなかった。
本願発明は、上記実状に鑑み、他の対象物に塗布する方法で香りを移すことができるお守りを提供しようとするものである。
【課題を解決するための手段】
【０００４】  上記課題を解決するため、本願発明のお守りは、液体芳香剤を容器に収容したものをお守りとする。【０００５】  また、本願発明のお守りは、容器に収容された液体芳香剤と装飾体とをセットにしてお守りとする。
【発明の効果】
【０００６】  本願請求項１のお守りは、液体芳香剤を容器に収容してなるもので、一般的なお守りと同様、願い事が叶えられるよう託すと共に、所持したり神棚に祀ったりすることができるほか、下記のような効果を得る。
液体芳香剤を容器に収容してなるお守りであるから、他の対象物に塗布する方法で香りを移すことができるお守りとして提供することができる。この場合、化粧品的な液体芳香剤の用途とは別の、お守りとしての用途に用いる液体芳香剤として提供することができるので、液体芳香剤の新たな用途と利用方法を提供するものであり液体芳香剤の消費拡大に貢献することができる。
例えば、液体芳香剤の香りをお守りの霊力やご利益の象徴的なものとし、香りを移すことによって香りと共に霊力やご利益も移る、というような利用方法を提供することができ、液体芳香剤の消費拡大に貢献することができる。【０００７】  また、本願請求項１のお守りは、容器の液体芳香剤がなくなれば更新する必要が生じ、お守りの更新を促進させる効果がある。【０００８】  また、本願請求項１のお守りは、液体芳香剤の香りとお守りの願い事との組み合わせを決めることができる。この場合、願い事が変われば香りも変わるのでお守りの価値を向上させることができると共に、香りでお守りの願い事が決まるので、例えば、液体芳香剤を詰めた容器に願い事を表示したシールを貼るときなど、作業ミスを防ぎ効率的にできるようになる。【０００９】  本願請求項２によるお守りは、容器に収容された液体芳香剤と装飾体とがセットになったお守りであるから、液体芳香剤を装飾体に塗布し香りを移すことができると共に、香りが消失するたびに繰り返し香りを塗布し復活させることができるお守りを提供することができる。【００１０】  また、本願請求項２によるお守りは、消耗する液体芳香剤と消耗しない装飾体とをセットにしてあるので、液体芳香剤がなくなっても装飾体が残り、液体芳香剤の継続購入を図ることができる。【００１１】  また、本願請求項２によるお守りは、液体芳香剤と装飾体とをセットにしたお守りであるから、液体芳香剤を装飾体の汚れの拭き取り材として有効利用することができる。【００１２】  また、本願請求項２によるお守りは、液体芳香剤と装飾体とをセットにしたお守りであるから、装飾体を自動車内に飾る交通安全祈願用のお守りとした場合に、消臭材と兼用できるお守りとして実用的に使用することができる。
【発明を実施するための最良の形態】
【００１３】  本願請求項１のお守りは、液体芳香剤を容器に収容してなることを特徴とする。
本願にいうお守りは、願い事が叶えられるよう託し、所持したり飾ったり祀ったりなどするものをいい、例えば、お守り、祈願札、護符、絵馬、縁起物、開運グッズ、招福ツール、などを含み、市販もされるが主として神社やお寺で授与される。
また、お守りは各種の願い事に対応したお守りが作られ、例えば、健康を願う人のためには、健康祈願などのお守りが作られ、開運を願う人のためには開運祈願などのお守りが作られる。
本願の液体芳香剤とは、パヒューム、パルファンドトワレ、オードトワレ、オーデコロンなど、エッセンシャルオイルから作られるもののほか、鉱物や動植物などを原料とする香料や人工的に作られた香料などを原料として、香りを出す液体として作られたものをいう。
液体芳香剤を収容するための容器は、液体芳香剤を蒸発させたり変質させたりしない容器が望ましい。
容器には、液体芳香剤を塗布するための手段を設けることが望ましい。
塗布するための手段は、例えば、容器の蓋と一体に毛筆やフェルト芯などを取り付けたり、あるいは、スポイドを容器の蓋を兼ねるように取り付けたりして設けることができる。
容器には、お守りであることを示すための表記をすることが望ましい。
お守りであることを示すための表記としては、例えば、お守り、護符、絵馬、祈願札、開運グッズ、招福ツール、などのほか、健康祈願、学力向上祈願、開運祈願など各種祈願をあげることができる。なお、健康祈願は健康、学力向上祈願は学力向上、開運祈願は、開運などと省略表記することができる。
また、本願請求項１のお守りは、液体芳香剤の香りとお守りの願い事との組み合わせを決めることができる。
液体芳香剤の香りには、例えば、ティートリー、レモン、シトロネラ、ベルガモット、ゼラニューム、など各種の香りをあげることができる。また、お守りの願い事には、例えば、健康祈願、学力向上祈願、厄除け祈願、開運祈願、家庭円満祈願、など各種の祈願名をあげることができる。
液体芳香剤の香りとお守りの願い事との組み合わせは、例えば、健康祈願には、香りが免疫力の向上に働くとされるティートリーを組み合わせ、学力向上祈願には、記憶力や集中力をアップさせるといわれるレモンを組み合わせ、厄除け祈願には、昆虫などの忌避作用があるシトロネラを組み合わせる、というような組み合わせを決めることができる。【００１４】  本願請求項２のお守りは、容器に収容された液体芳香剤と装飾体とをセットにしてなるお守りであって、液体芳香剤と装飾体のいずれもお守りであるセットや液体芳香剤と装飾体のいずれかがお守りであるセットのほか、液体芳香剤と装飾体のいずれもお守りとしての表示がなく、セットにした状態のものをお守りとするものを含むものである。
本願での装飾体とは、身体につける装飾品や携行品に飾り付ける装飾品、あるいは、車内や室内を装飾するための装飾品など、アクセサリーやマスコットなどに用いられる装飾品をいう。
容器に収容された液体芳香剤と装飾体とをセットにする形態としては、液体芳香剤と装飾体とを同一のパッケージに梱包してセットにする形態のほか、液体芳香剤と装飾体とを別々のパッケージに梱包したうえセットにする形態などがある。
【実施例１】
【００１５】    以下図面に基づいて実施例を説明する。
図１は、本願請求項１よるお守りＡを示す平面図である。
液体芳香剤１には、本願の使用目的以外の使用に対する安全上の観点からオーデコロンが用いられ、収容するための容器２には、蒸発させたり変質させたりしない容器として、密封できる色ガラス製のボトルが用いられている。
また、容器２には、液体芳香剤を塗布するための手段Ｂとして、容器の蓋と一体に形成されたスポイドが取り付けられている。
容器２には、お守りであることを示すための表記Ｃとして「健康祈願」の文字が表記されたシールが貼付されている。
なお、実施例では液体芳香剤の香りとお守りの願い事との組み合わせが決められており、健康祈願には、香りが免疫力の向上に働くとされるティートリーが組み合わせられていて、ティートリーのエッセンシャルオイルを無水エタノールで略３％に希釈したオーデコロンが用いられている。
【実施例２】
【００１６】  図２は、本願請求項２よるお守りＡを示す平面図（一部斜視図）である。
容器２に収容された液体芳香剤１と装飾体３とをセットにしたものである。
液体芳香剤１には、本願の使用目的以外の使用に対する安全上の観点からオーデコロンが用いられ、収容するための容器２には、蒸発させたり変質させたりしない容器として、密封できる色ガラス製のボトルが用いられている。
また、容器２には、液体芳香剤を塗布するための手段Ｂとして、容器の蓋と一体に形成されたスポイドが取り付けられている。
容器２には、お守りであることを示すための表記Ｃとして「招福祈願」の文字が表記されたシールが貼付されている。
装飾体３には、アクセサリーとして手首に飾るブレスレットが用いられている。
容器２に収容された液体芳香剤１と装飾体３としてのブレスレットが、同一のパッケージに梱包したセットＤとされている。
なお、実施例では、ラベンダーのエッセンシャルオイルを無水エタノールで略３％に希釈したオーデコロンが用いられている。
【図面の簡単な説明】
【００１７】
【図１】本願請求項１によるお守りを示す平面図である。
【図２】本願請求項２によるお守りを示す平面図（一部斜視図）である。
【符号の説明】
【００１８】      １  液体芳香剤
２  容器
３  装飾体
Ａ  お守り
Ｂ  液体芳香剤を塗布するための手段
Ｃ  お守りであることを示すための表記
Ｄ  同一のパッケージに梱包したセット
【図１】
2007061580.tif 000003
【図２】
2007061580.tif 000004